(57)【特許請求の範囲】
【請求項１】
ベースプレートと、導光板と、前記導光板の側面に設けられた冷陰極管と、前記冷陰極管を抱持するランプアングルと、前記ベースプレートと前記ランプアングルと前記導光板とを保持する金属製のバックライトアングルからなるバックライトにおいて、
前記ランプアングルは、金属板と樹脂フィルムとを一体化した複合材料からなり、
前記ランプアングルが、当該ランプアングルの金属面に設けられたネジ穴を介して、バックライトアングルと共にネジによりベースプレートに固定されると共に、前記金属面とバックライトアングルとが前記ネジにより接続されており、
前記バックライトアングルはＧＮＤ接続されていることを特徴とするバックライト。
【請求項２】
前記樹脂フィルムが白色ＰＥＴであることを特徴とする請求項１に記載のバックライト。
【発明の詳細な説明】
【０００１】
【発明の属する技術分野】
本発明は、液晶表示装置の背面側に設け、冷陰極管と導光板とを組み合わせたバックライトの構造に関するものである。
【０００２】
【従来の技術】
図４に、従来の液晶表示装置のバックライトの断面図を示す。図４に示すように、バックライト１は、樹脂からなるベースプレート２において、コの字型のランプアングル１８により冷陰極管３を抱持し、この冷陰極管３をアクリル板等の透明な導光板４の側端面に対向配置させている。ランプアングル１８と金属製であるバックライトアングル９をネジなどによって接続する構造である。ランプアングル１８の内壁面にＰＥＴ（ポリエチレンテレフタレート）等からなるランプリフレクタ（反射面）５を設けている。導光板４の前面（液晶表示装置２０側）にＰＥＴ等からなるレンズシート６と、背面（バックライトアングル９側）にＰＥＴ等からなる反射シート７を設けている。冷陰極管３の電極間に所定の電圧を印加することにより、この冷陰極管３から発せられた光が導光板４の前方（液晶表示装置２０側）へほぼ均一に照射されるようになっている。
【０００３】
【発明が解決しようとする課題】
ところで、上記のバックライト１を、液晶表示装置２０の背面に設けて動作させると、その表示画面の周縁部にちらつき等ノイズが発生して表示品位が低下するという現象が起こる。
【０００４】
この現象を防止するため、特開平８−９５０３７号公報では、冷陰極管のアース端子をランプアングルに接続し、ランプアングルを介して冷陰極管を接地する構造としている。
【０００５】
また、実開平５−６９７３３号公報では、ライティングカーテンと拡散板との間に、金属酸化膜からなる透明導電膜を介設し、その透明導電膜の導電面を接地する構造とし、冷陰極管から発生する放射ノイズをアースしている。
【０００６】
特開平８−９５０３７号公報の方式では、ランプアングルに接続するため、冷陰極管にアース端子を設ける必要がある。また、ランプアングルにアース端子をはんだ付けする必要があり、作業が煩雑になる上、コストがかかる。
【０００７】
また、実開平５−６９７３３号公報の方式では、接地のための透明導電膜を形成するためにコストがかかるという欠点がある。また、導光板の側端面に冷陰極管を配置する液晶表示装置では、この方式によってアースの効果は得られない。
【０００８】
本発明は、上記問題点を解決するためになされたものであり、冷陰極管から発生する放射電圧に起因する表示画面のノイズを防止し、表示品位が高く、また容易に冷陰極管の交換が可能であるバックライトを提供するものである。
【０００９】
【課題を解決するための手段】
本発明のバックライトは、ベースプレートと、導光板と、前記導光板の側面に設けられた冷陰極管と、前記冷陰極管を抱持するランプアングルと、前記ベースプレートと前記ランプアングルと前記導光板とを保持する金属製のバックライトアングルからなるバックライトにおいて、前記ランプアングルは、金属板と樹脂フィルムとを一体化した複合材料からなり、前記ランプアングルが、金属面に設けられたネジ穴を介して、バックライトアングルと共にネジによりベースプレートに固定されると共に、前記金属面とバックライトアングルとが前記ネジにより接続されており、前記バックライトアングルはＧＮＤ接続されていることにより、上記目的が達成される。
【００１３】
上記構成による作用を説明する。
【００１４】
本発明のバックライトのランプアングルを、金属板と樹脂フィルムとを一体化した複合材料からなることにより、従来のようにランプアングルとランプリフレクタを別々に設ける必要がなく、プレスにより一度で形成することができ、コストダウンが図れる。
【００１５】
また、前記複合材料は、アルミと白色のＰＥＴからなっていることにより、従来のようにランプアングルとランプリフレクタを別々に設ける必要がなく、プレスにより一度で形成することができ、コストダウンが図れる。アルミを用いることにより、軽量化が図られる。ＰＥＴは安価であり、成型しやすいので、用いている。
【００１６】
また、前記複合材料の白色のＰＥＴ面が、ランプリフレクタと同等の役割を果たしている。
【００１７】
また、前記金属製のバックライトアングルと、前記ランプアングルの金属面とを接続させて、前記冷陰極管を接地していることにより、冷陰極管から発生する放射電圧は、ランプアングルからバックライトアングル、さらにバックライトアングルからＧＮＤ接続を通じて放電される。放射電圧に起因するノイズの発生が防止でき、表示品位を向上することができる。
【００１８】
【発明の実施の形態】
図１に、本発明のバックライトの断面図を示し、図２、図３にバックライトの組み立て図とその拡大図を示す。従来例の説明に用いた図４と対応する部分には同一符号を付けている。図１に示すように、バックライト１は、樹脂からなるベースプレート２において、ランプアングル８で冷陰極管３を抱持し、この冷陰極管３をアクリル板等の透明な導光板４の側端面に対向配置させている。導光板４の前面（液晶表示装置２０側）にＰＥＴ等からなるレンズシート６と、背面（バックライトアングル９側）にＰＥＴ等からなる反射シート７を設けている。また、ランプアングル８は、バックライトアングル９と共にネジ１０によりベースプレート２に固定される。そのバックライトアングル９は電子部品が設けられている基板を通してＧＮＤ接続されている。
【００１９】
ランプアングル８は、金属板と樹脂フィルムとを一体化した複合材料からなっている。複合材料は、厚さ０．２ｍｍのアルミ板と、厚さ０．１８８ｍｍの白色のＰＥＴ製フィルムを、ＰＥＴなどの接着剤により、熱圧着して貼り合わしたものである。具体的には、三菱樹脂（株）のアルセットＧＥである。
【００２０】
複合材料であるため、従来のようにランプアングルとランプリフレクタを別々に設ける必要がなく、プレスにより一度で形成することができ、コストダウンが図れる。
【００２１】
ランプアングル８の冷陰極管３側の面が、複合材料の白色のＰＥＴ面である。この白色のＰＥＴ面が、ランプリフレクタと同等の役割を果たしている。これにより、新たにランプリフレクタを貼付する必要がなくなり、煩雑な作業がなくなり、かつ部品点数が削減されるので、従来の方式よりもコスト的に有利な液晶表示装置を提供することができる。
【００２２】
ランプアングル８の形状は、図２、図３のように折り曲げられているので、ネジ穴がある８ａの表面はアルミ面である。ランプアングル８の金属面８ａとバックライトアングル９が、ネジ１０によりに接続されている。このことにより、冷陰極管３から発生する放射電圧は、ランプアングル８からバックライトアングル９、さらにバックライトアングル９からＧＮＤ接続を通じて放電される。従って、放射電圧に起因するノイズの発生が防止でき、表示品位を向上することができる。
【００２３】
また、ランプアングル８は、バックライトアングル９側でのみネジ１０によって固定され、他端は、自由な状態である。このため、冷陰極管３の交換が簡単に行うことができる。
【００２４】
本実施形態では、アルミとＰＥＴからなる複合材料を用いたが、使用目的、使用条件、コストにより、例えば金属板ではステンレス、鋼板、黄銅板など、樹脂フィルムではナイロン、ポリプロピレン（ＰＰ）、フッ素樹脂などを組み合わせてもよい。
【００２５】
【発明の効果】
本発明のバックライトのランプアングルが、金属板と樹脂フィルムとを一体化した複合材料からなることにより、従来のようにランプアングルとランプリフレクタを別々に設ける必要がなく、プレスにより一度で形成することができ、コストダウンが図れる。
【００２６】
また、複合材料の白色のＰＥＴ面が、ランプリフレクタと同等の役割を果たしている。これにより、新たにランプリフレクタを貼付する必要がなくなり、煩雑な作業がなくなり、かつ部品点数が削減されるので、従来の方式よりもコスト的に有利な液晶表示装置を提供することができる。
【００２７】
また、前記金属製のバックライトアングルと、前記ランプアングルの金属面とを、ネジにより接続させて、前記冷陰極管を接地していることにより、冷陰極管から発生する放射電圧は、ランプアングルからバックライトアングル、さらにバックライトアングルからＧＮＤ接続を通じて放電される。放射電圧に起因するノイズの発生が防止でき、表示品位を向上することができる。
【図面の簡単な説明】
【図１】本発明のバックライトの断面図である。
【図２】本発明のバックライトの組み立て図である。
【図３】図２の拡大図である。
【図４】従来のバックライトの断面図である。
【符号の説明】
１      バックライト
２      ベースプレート
３      冷陰極管
４      導光板
５      ランプリフレクタ
６      レンズシート
７      反射シート
８  １８      ランプアングル
８ａ    ランプアングル８の金属面
９      バックライトアングル
１０    ネジ
２０    液晶表示装置
【図１】
0003792456.tif 000002
【図２】
0003792456.tif 000003
【図３】
0003792456.tif 000004
【図４】
0003792456.tif 000005